Podtech/llm-jp-corpus-v4-ja_patent huggingface dataset:
(57)【要約】      （修正有）【課題】エンジン燃焼室への吸気及び排気の効率を向上させ、また部品点数の減少及び重量の軽量化をなしたエンジンの回転式吸排気バブルを提供する。【解決手段】エンジン燃焼室を含むヘッド本体の上部に吸気口及び排気口を兼ねた吸気兼排気口を設けた回転板を設置し回転板を回転させることにより、回転板の吸気兼排気口と燃焼室吸気ポートが重なった時に吸気、回転板の吸気兼排気口と燃焼室排気ポートが重なった時に排気を行うことにより効率を向上させる、又構造が簡単で部品点数も少ないので重量を軽くすることが可能である。【選択図】図２
0003144533.tif 000002
【実用新案登録請求の範囲】
【請求項１】
エンジン燃焼室を含むヘッド本体上部に吸気口と排気口を兼ねる吸気兼排気口を設けた回転板を設け、燃焼室の吸気ポートと回転板に設けた吸気兼排気口が重なった時に吸気、燃焼室の排気ポートと回転板に設けた吸気兼排気口が重なった時に排気が行われるところを特徴とする、エンジンの吸排気バルブ
【考案の詳細な説明】
【技術分野】
【０００１】本考案は、エンジン燃焼室の吸気及び排気バルブに関するものである。
【背景技術】
【０００２】４サイクルエンジンの吸気及び排気はバルブが上下運動することによりバルブの開閉を行う。
【考案の開示】
【考案が解決しようとする課題】
【０００３】バルブの上下運動で行われる吸気及び排気では、燃焼室とバルブの隙間で吸気及び排気が行われる為効率が良くなく、効率を良くする為にはバルブの数を増やすなどするので、エンジンが複雑になり又エンジンの重量も増加する。
【課題を解決するための手段】
【０００４】本考案は、エンジン燃焼室を含むヘッド本体の上部に吸気口及び排気口を兼ねた吸気兼排気口を設けた回転板を設置し回転板を回転させることにより、回転板の吸気兼排気口と燃焼室吸気ポートが重なった時に吸気、回転板の吸気兼排気口と燃焼室排気ポートが重なった時に排気を行うことにより効率を向上させる、又構造が簡単で部品点数も少ないので重量を軽くすることが可能なので問題点を解決している。
【考案の効果】
【０００５】上述の様に、本考案は吸気及び排気の効率を良くすることは勿論、部品点数が少ない為構造を簡単にすることが出来、重量を軽くすることが可能である。
【考案を実施するための最良の形態】
【０００６】燃焼室を含むエンジンヘッド本体の上部に吸気口及び排気口を兼ねる吸気兼排気口を設けた回転板を設置する。回転板を回転させることにより、回転板に設けられた吸気兼排気口と燃焼室の吸気ポートが重なった時に吸気を、回転板に設けられた吸気兼排気口と燃焼室の排気ポートが重なった時に排気が行われる。
【実施例】
【０００７】以下、添付図面に従って一実施例を説明する。燃焼室を含むエンジンヘッド本体７の上部に吸気兼排気口４を設けている回転板１を設置。回転板１を燃焼室８との同心円状に時計方向に回転させ、吸気兼排気口４と燃焼室吸気ポート５が重なった時に吸気を、吸気兼排気口４と燃焼室排気ポート６が重なった時に排気が行われる。
【産業上の利用可能性】
【０００８】動力エンジン、内燃機関全般における燃焼室の吸気及び排気バルブ
【図面の簡単な説明】
【０００９】
【図１】図２平面図における、線２１から２２における断面図
【図２】本考案の回転式吸気兼排気バルブ、及び燃焼室の上面からの平面図
【符号の説明】
【００１０】１＝吸気兼排気口付回転板：２＝吸気兼排気口付き回転板の外周線：３＝燃焼室底部内周線：４＝回転板に設けられている吸気兼排気口：５＝燃焼室吸気ポート：６＝燃焼室排気ポート：７＝燃焼室を含むエンジンヘッド本体：８＝燃焼室
【図１】
0003144533.tif 000003
【図２】
0003144533.tif 000004
(57)【要約】      （修正有）【課題】生活の手助けをする用具として重宝しているフックとクリップをいつでもどこでも手軽に活用できるように使用用途を拡大した伸縮フックとクリップを提供する。【解決手段】巻き取り式で伸縮するケーブルを採用し、巻き取りドラム１に収納されているケーブル２を必要な長さまで引っ張り出し、ケーブルの両端に取り付けたフックとクリップの位置を確定させ、用途に合わせてフック３クリップ４を使用し使用用途を拡大する。巻き取りドラム１の開閉式リング５は両端に取り付けたフックとクリップにかかる荷重を分散させるとともに、ぶら提げて使用することを可能とし利便性を高める。【選択図】図１
0003144518.tif 000002
【実用新案登録請求の範囲】
【請求項１】
フックとクリップを巻き取りドラムに収納される巻き取り式ケーブルの両端に取り付け組み合わせたフックとクリップの使用位置をケーブルの伸縮により変更し使用範囲を拡大するための用具。
【考案の詳細な説明】
【技術分野】
【０００１】  巻き取り式ケーブルの両端にフックとクリップを取り付ける。巻き取りドラムに開閉式リングを取り付けぶら提げて使うことを可能とし加重を分散する。
【技術背景】
【０００２】  フックとクリップは、生活を手助けするとても便利な用具であるが、使用したい場所の形状や使用したいものの形態によって単体では使用できないことが意外と多いものだと感じていた。フックとクリップは異なる特質の利便性があるので両方を取り付けることで、使用用途拡大を目指すことはできないかと考えていた。
【考案の開示】
【考案が解決しようとする課題】
【０００３】  フックとクリップの利便性を高め使用用途を拡大するために、いつでもどこでも手軽に活用できる用具にしなければならない。
【課題を解決するための手段】
【０００４】  巻き取り式で伸縮するケーブルを採用してケーブルの両端に取り付けたフックとクリップの位置を変更可能とし使用用途を拡大できるようにする。
【考案の効果】
【０００５】  巻き取り式ケーブルは、長さの調節ができるので状況に合わせ伸縮させることによって使用範囲を拡大し、ケーブルの両端に取り付けたフックとクリップは、フックとクリップ、フックとフック、クリップとクリップの組み合わせを可能とし使用用途を広げることができる。またフックとクリップの数を増やせば、さらに利便性と使用用途を拡大することが可能となる。
【考案を実施するための最良の形態】
【０００６】  使用用途の幅を広げるため、携帯できるようにし、より多くの生活雑貨、携帯用品、事務小物などに対応できる対加重を確保する。またケーブルの巻き取りドラムに、開閉式リングを取り付けぶら提げられるようにして加重の分散を図る。
【実施例】
【０００７】  巻き取りドラム１に収納されている巻き取り式ケーブル２は必要な長さを引っ張り出し、用途に合わせてフック３クリップ４を使用する。【０００８】  巻取りドラム１の開閉式リング５は、ぶら提げて使用し利便性を高め、両端に取り付けたフックとクリップにかかる荷重を分散させる。
【図面の簡単な説明】
【０００９】
【００１０】
【図１】本考案の伸縮フック＆クリップの一実施例を示す正面図である。
【符号の説明】
【００１１】１  巻き取りドラム
２  巻き取り式ケーブル
３  フック
４  クリップ
５  開閉式リング
【図１】
0003144518.tif 000003
(57)【要約】      （修正有）【課題】ジッパー付ビニール袋に、固形物、粘質物、液状物等を入れやすくしたジッパー付きビニール袋固定用具を提供する。【解決手段】固形物、粘質物、液状物を移し変えやすくするために凹型自立板２の上部に、ジッパー部分を外側に折り返し被せたジッパー付ビニール袋を、プラスティック等先細凹型クリップ１ｂを凹型自立板とともに上から挟み固定する。凹型自立板２にビニール袋のジッパー部分を被せることによりビニール袋に深さをもたせ内容物を下部に入れることができるので、ジッパー部分またはジッパー付近を汚すことがなくなる。【選択図】図１
0003144519.tif 000002
【実用新案登録請求の範囲】
【請求項１】
固形物、粘質物、液状物等を入れやすくするものであって、ジッパー付ビニール袋を外側に折り返し凹型自立板上部に被せビニール袋を自立させ入れた内容物の重みで滑り落ちないようにする凹型自立板と、その凹型自立板とビニール袋を上から一緒に挟み押さえるプラスティック等先細凹型クリップからなることを特徴とする、ジッパー付ビニール袋固定用具。
【考案の詳細な説明】
【技術分野】
【０００１】  凹型自立板の内側にジッパー付ビニール袋をセットし凹型自立板上部でジッパー部分を外側に折り返してプラスティック等先細凹型クリップで、凹型自立板とビニール袋を上から挟んで固定する。
【技術背景】
【０００２】  調理したものや食材の小分け保存をするためにジッパー付ビニール袋に移し変える際、ジッパー付ビニール袋の開口部は手を使わず口を広く開いておくことが困難で、何とか広げることができても、ジッパー部分を汚したり、こぼしたりすることがあり、誰かに広げて持っていてもらいたいと思うことが常であった。
【考案の開示】
【考案が解決しようとする課題】
【０００３】  ジッパー付ビニール袋は開口部を広く開いた状態にし、固形物、粘質物、液状物等を問わず入れにくいものを、短時間で汚したり、こぼしたりすることなく入れることができるようにする。また、異なるサイズのジッパー付ビニール袋にも対応できるようにしなければならない。
【課題を解決するための手段】
【０００４】  ジッパー付ビニール袋に移し変える際に、開口部を広く開けておくためにプラスティック等先細凹型クリップを用いて凹型自立板上部に被せたジッパー付ビニール袋の開口部を一緒に挟み込み固定し入れやすくする。
【考案の効果】
【０００５】  ジッパー付ビニール袋の開口部を広く開けておくことによって、固形物、粘質物、液状物を問わず入れやすくなる。また、ジッパー部分を外側に折り返し、凹型自立板上部に被せ、上からプラスティック等先細凹型クリップで挟みこむことによりビニール袋のジッパー部分を汚すことなく入れることができる。開口部を広く開けておけるのでビニール袋を放置し内容物を冷ます時間も短縮することができる。また、ジッパー付ではない袋物にも対応できる。
【考案を実施するための最良の形態】
【０００６】  ジッパー付ビニール袋に入れる際、また入れた後、ビニール袋が外れることのないよう、ビニール袋開口部と凹型自立板上部をプラスティック等先細凹型クリップで挟み、開口部が広く開いた状態を保つようにする。
【実施例】
【０００７】  以下、添付図面に従って一実例を説明する。耐久性・耐水性・耐熱性プラスティック等適宜素材にて組み合わせて形成された、１ａを１ｂとして使用する凹型自立板上部に被せたジッパー付ビニール袋を固定するためのプラスティック等先細凹型クリップと、２は凹型自立板でビニール袋のジッパー部分を外側に折り返し２に被せ自立させ、１ａを１ｂとしビニール袋と凹型自立板上部を挟み固定することによって、ジッパー付ビニール袋の開口部を広く開けておくことができるようになる。【０００８】  １ａを１ｂとしてプラスティック等先細凹型クリップは開口部が不使用時１ａは閉じているが使用時１ｂには開くようになっていて、ビニール袋を被せ凹型自立板と一緒に上から挟むと幅に合わせて広がり圧力がかかり、ビニール袋が内容物の重量でずれないようになっている。【０００９】  凹型自立板２は、ジッパー付ビニール袋を自立させ、ビニール袋に深さをもたせることにより、内容物をビニールの下部に入れることが可能となる。
【図面の簡単な説明】
【００１０】
【図１】本考案のジッパー付ビニール袋固定用具の一実施例を示す立面図である。
【図２】本考案のジッパー付ビニール袋固定用具の一実施例を示す平面図である。
【図３】本考案のジッパー付ビニール袋固定用具の側面図である。
【図４】本考案のジッパー付ビニール袋固定用具の詳細図である。
【符号の説明】
【００１１】１ａ  プラスティック等先細凹型クリップ（不使用時）
１ｂ  プラスティック等先細凹型クリップ（使用時）
２    凹型自立板
【図１】
0003144519.tif 000003
【図２】
0003144519.tif 000004
【図３】
0003144519.tif 000005
【図４】
0003144519.tif 000006
(57)【要約】      （修正有）【課題】電力をほとんど使用せず、効率的に建物の換気・空調ができる天然換気ビルを提供する。【解決手段】鉄筋コンクリートのビルディングにおいて、人の活動を阻害しないような地面からの立ち上げ壁面に、その面を一つとする水槽を設置し、その水面から多少上がった該壁面に開閉蓋を備えた換気口を穿って冷気を屋内に導入して、該冷気（空気）が天井（上屋からみれば床）を貫通して尚且つ専用通気ダクトを途上まで伸ばして順送りし、屋上に換気扇を設け、該換気扇が上屋の空気ともども吸い込んで順次上屋の通気、換気をして屋上に排気することを特徴とする。【選択図】図１
0003144516.tif 000002
【実用新案登録請求の範囲】
【請求項１】
鉄筋コンクリ−トのビルディングにおいて、人の活動を阻害しないような地面からの立ち上げ壁面に、その面を一つとする水槽を設置し、その水面から多少上がった該壁面に開閉蓋を備えた換気口を穿って冷気を屋内に導入して、該冷気（空気）が天井（上屋からみれば床）を貫通して尚且つ専用通気ダクトを途上まで伸ばして順送りし、屋上に換気扇を設け、該換気扇が上屋の空気ともども吸い込んで順次上屋の通気、換気をして屋上に排気することを特徴とする屋外空気による自然換気、空調装置
【考案の詳細な説明】
【技術分野】
【０００１】  本考案は亜熱帯気候におけるノッポビルの天然換気に関するものである。
【背景技術】
【０００２】  炎天下のビルの冷房には天井エアコンが今日大半である。
これは今日では不経済で時代の要請に沿わない。
今日のそれは蔓葉植物を壁面に這わせるか、或いは光り触媒を施した壁面に水を垂らす等の方法で屋外を冷やすか、屋内は冷却効率がよくない天井エアコンである。古来我が国では木造の高床式が主流であり、電力による冷却方法は今日の時代要請に合わない。
【考案の開示】
【考案が解決しようとする課題】
【０００３】  都市のコンクリ−トに依る夏場の暖気は今日非常に耐え難いものとなっている。
それは照り映えりのみではなく、自動車による燃焼も加担している。
そのような中でのコンクリ−ト住宅の暖気の換気はは悲惨である。植物による屋上や、壁面の暖気解消の措置もそれなりの効果しかなく、エアコンに至っては熱交換である。
このようなヒ−トアイランド現象を抜本的な解消をするにはエンジン過熱は公共交通機関の利用に待つ外ないが、水と空気の循環でそれが多少でも解消できればとのおもいで願出した。
【課題を解決するための手段】
【０００４】  先ずビルの周囲に人の活動に差し使えないようにビルの壁面を使用した水槽を設置する出来れば屋上からの壁面落下による該水槽水の循環をはかる。
該水槽上の部屋内からみれば床上５０ｃｍ位の高さに蓋付きの径が２〜３０ｃｍ位の、換気口を屋内の暖気、換気の空調に配慮してそれなりの数施す。
該換気孔からの吸気は、部屋内の天井（上屋からみれば床）の数箇所に換気、空調に見合った直径の穴を開けて、換気を半強制的に行なう。
上屋の床に開いた穴にはパイプなどて高さが１９０ｃｍ位以上の排気ダクトを設けて、物の落下を防止し順送りにして最終排気は濡損防止をして屋上にすることとする。屋上の排気ダクトの周囲は陽だまり温度を取り込む囲いをする。
天井に於ける開口は逆さジョウゴとしダクト内の換気扇による通過排気は、下部階の吸気をすると同時に上部階の吸気をも伴うような構造とする。
開口数の設置はビルの設置面積に応じた配慮が必要である。
【考案の効果】
【０００５】  上述のように、ノッポビルの屋内換気、空調をすれば必然屋外も打ち水効果は期待できる。
エンジン燃焼によるスス、ホコリ、ネツの排除には外の方法を待たねばならないが、適度なヒ−ト現象の減少にはそれなりの効果はある。
【考案を実施するための最良の形態】
【０００６】  今日のビルは亜熱帯気候における本来の木造高床式に見合った構造ではない。
密閉した部屋に上部から冷気をおろすことは、本来の熱循環ではない。その冷気も熱交換であり、根本的な解決とはなっていない。
人口が密集したことにも大きな原因はあるが、余り虚栄にはしることなく、設定を低いところに置いて地道な均整のとれた生活からしか人としての本当の生活はない。
自然冷却の方法は水冷、空冷しかないと思われるがそれも一方に偏ると変化に乏しく、マンネリになる。水冷、空冷の交互入れ換えが本来望ましいことは水風扇が切り替え当座しかその有り難みが感得できないことでも分かる。それほど人は変化を本来好む。
であるから、その施行も折々の変化があることがよい、間断の方途も必要である。
【実施例】
【０００７】  本願は水と空気の循環による自然空調を目標としている。
夏場の橋の上に於ける冷気の感得を念頭に置いている。
一方では水不足も懸念されるので配給制度も必要であろうか。
又冬場の暖房方法も考えて設置施行することが望ましい。
【図面の簡単な説明】
【０００８】
【図１】  全体要点施工図
【符号の説明】
【０００９】  １．換気口      ２．窓      ３．立ちトげダタト      ４．陽だまり囲い
５．一括換気扇      ６．水槽
【図１】
0003144516.tif 000003
(57)【要約】      （修正有）【課題】従来の布草履作りには、道具代が１０００円以上かかるか、あるいは足に芯を掛けてするなどの方法があるが、安価で作業のしやすい布草履製作の道具を提供する。【解決手段】布草履製作には、大して力をかける必要がなく、芯になるロープを掛けるところが３ヶ所あって少し引っ張ることができればよいところに着目して、まず２に二重にしたロープを掛け、そこから布草履の縁の芯になるロープ４だけを左右の３にはさんで固定する。本考案の道具を使用すると縁の芯になるロープが常に固定されているため芯と芯の間隔が一定に保たれていて作業がしやすく、布草履にとって必要な仕上がり巾を容易に求めることができる。【選択図】図３
0003144512.tif 000002
【実用新案登録請求の範囲】
【請求項１】
布草履を製作するための道具としてその本体を吸盤のフックなどに引っ掛ける部分と、布草履の芯になるロープを掛ける中心部と、布草履の縁の芯になるロープを固定する部分からなり、縁の芯になるロープを挟んで固定する位置をロープの太さに合わせて固定しやすくし、ロープを固定した２箇所の間隔を布草履の出来上がり巾よりやや広くすることにより布草履にとって必要な出来上がり巾を求めることが容易になるという特徴の在る布草履製作の道具。
【考案の詳細な説明】
【技術分野】
【０００１】本考案は布草履製作の道具に関する。
【背景技術】
【０００２】従来の布草履作りは昔ながらの藁草履作りの道具を応用したものを使用するか、両足の指に布草履の芯になるロープを掛けてする方法又は２個のフックに芯を掛けてする方法などがある。
【考案の開示】
【考案が解決しようとする課題】
【０００３】布草履作りは知っていても、手軽な道具がないため指導することができなかった。足でする方法もあるが足腰の悪い方に気の毒で勧める気にならなかった。藁草履作り用を応用した道具を使用すると道具代が１０００円以上かかるため、布草履製作を指導する目的が、道具の販売目的と誤解される恐れがある。【０００４】そこで、本考案が解決しようとする課題は、安価で製作が容易で高齢者にも無理なく布草履製作を楽しむことのできる道具を提供することである。
【課題を解決する手段】
【０００５】布草履製作には、芯になるロープを掛けるところが３ヶ所あって少し引っ張ることができればよいところに着目して図２の本考案の道具を提供する。
本考案の道具はまず１をフックなどに掛ける部分。２と左右の３を布草履の芯になるロープを掛ける位置として、３を６ｍｍ巾にしてロープを固定しやすくする。更に左右の３と３の間隔を布草履の出来上がり巾より３ｃｍ広くする。
【考案の効果】
【０００６】３を６ｍｍ巾にすることによって布草履の縁の芯になるロープをしっかり固定できて作業がしやすくなる。
３と３の間隔を一定の巾に固定することで、芯と芯の間隔が常に一定に保たれているため、編み進めるうちに草履の巾が狭まってしまう従来の欠点を解消し出来上がり巾を気にすることなく編みすすめられ、布草履に必要な巾に仕上げることが容易になることを特徴とする。
道具代が安価で済むため指導がしやすくなる。
本考案の布草履製作の道具は高齢者にも作業がしやすくどこででも気軽に布草履製作を楽しむことができることも特徴とする。
【考案を実施するための最良の形態】
【０００７】本考案の道具の使用方法は次のとおりである。図３に基づいて説明する。
まず、テーブルなどに吸盤を取り付け本考案の道具をフックに引っ掛けて使用する。
図１の布草履の芯用のロープをＲ−２のように交差させ、それを２重にして２に掛ける。そこから布草履の縁の芯になるロープ４のみを引いてきて左右の３へ本体の後ろから前へ向けて挟んで固定する。
自然に布草履の縁の芯になるロープと中心の芯になるロープの長さに差ができる。この差によって布紐で編みやすくなる。
４のロープの下中心から布紐で芯のロープを上下しながら女性用で２３ｃｍの長さまで、男性用で２５ｃｍの長さまで編む。【０００８】布紐で芯になるロープを上下しながら編み進めるとき、本考案の道具を使用すると当然に出る縁の芯になるロープと中心の芯になるロープの長さの差と芯と芯との間隔が常に保たれていることにより、間違えやすい高齢者でもロープの順番を間違えることなく編み進めることができるという特徴がある。【０００９】布紐で編み進める途中で編み目を整えるとき６を少し押し上げながら編み進んだ部分を少し引くことによって編み目を整えることができる。従来の布草履作り程引っ張る必要が無く、力の弱い高齢者にも無理なく布草履製作を楽しむことができる。
【図面の簡単な説明】
【００１０】
【図１】本考案の布草履製作の道具を用いて使用する布草履の芯になるロープの扱い手順
【図２】本考案の本体完成図
【図３】本考案の道具を使用して布草履の芯になるロープの掛け方及び布紐の扱い方。
【符号の説明】
【００１１】Ｒ−１・Ｒ−２・Ｒ−３  芯になるロープの変形順。
１フックなどに掛ける部分。
２芯になるロープを２重にして掛ける位置。
３  ６ｍｍ巾にして布草履の縁の芯になるロープを挟んで固定する位置。
４布草履の縁の芯になるロープ。
５編みこむ布紐。
６編み目を整えるとき少し押し上げる位置。
【図１】
0003144512.tif 000003
【図２】
0003144512.tif 000004
【図３】
0003144512.tif 000005
(57)【要約】      （修正有）【課題】製造コストを安く加えて軽量にして持ち運びの負担の少ない開口保持付きゴミ袋を提供する。【解決手段】ひとつはゴミ袋の開口部の周囲に沿って成されている紐の通り孔を利用するものであって、この孔に抵抗なく挿入、抜き取りできる概ね１〜３ｍｍ程度の鋼線を二つ折りにした単純な形状の金物を該通り孔に有するゴミ袋。いまひとつはゴミ袋の開口部内側の周囲に沿って適度の弾力性を有するボール紙又は住宅用小口テープの帯を貼ったゴミ袋であり、いづれもゴミ袋の開口保持という目的を安価なコストで成しうる。【選択図】図３
0003144515.tif 000002
【実用新案登録請求の範囲】
【請求項１】
紐付きゴミ袋の開口保持を目的として、直径１〜３ｍｍの鋼線の先端部に小円形の加工を施すことで該ゴミ袋の紐の通り孔に挿入又は引き抜きの際に引っかからないようになっている該鋼線を二つ折りにした金物を有する紐付きゴミ袋。
【請求項２】
ゴミ袋の開口保持を目的として、該開口部内側の周囲に両面接着テープ又は可塑性接着剤によって貼り付けされた帯状のボール紙又は住宅用小口テープを有する紐付きゴミ袋。
【考案の詳細な説明】
【技術分野】
【０００１】  本発明は、土嚢袋等に類似した紐付きゴミ袋の開口保持具に関する。
即ち該袋類は内容物が満杯に至るに際し、これを密封すべく開口部に沿って通っている紐で締めるように作られている。しかるに該紐及び袋類はその用途のために通常、柔軟な材質から成りそれ故、自身で開口状態を保持できないので一般に様々な開口保持用の用具の補助を受けている。
【背景技術】
【０００２】  該袋の開口保持を目的とした様々な用具が提案されている。例えば開口部のみを広げるだけの比較的簡単な形状のものや開口部の保持と袋全体の保持を兼ねた架台形式のものなどであるが、本発明は前者、開口部のみを広げるゴミ袋に関する。
【考案の開示】
【考案が解決しようとする課題】
【０００３】  現在、市販あるいは提案されている袋の開口保持用具は、上述のごとく比較的簡単な形状をしているもののいずれも転用を目的としているため少なからず堅固にして該袋開口部への装着にも煩雑な作業を要している。それ故、この種のゴミ袋の一般的な使用法すなわち片手で袋を持ち、もう一方の手でゴミを入れるという作業において該開口用具を支える側の手に負担が掛かってしまう。また同様に転用できる構造にすることで製造コストを押し上げている。
【課題を解決するための手段】
【０００４】  本発明者は鋭意研究した結果、安価にして取り扱いが簡単なゴミ袋の開口保持法を開発することに成功した。
本発明品のひとつは上述該袋の開口部の周囲に沿って成されている紐の通り孔を利用するものであって、この孔に抵抗なく挿入できるように加工された線径が概ね１〜３ｍｍ程度の鋼線を二つ折りにしたものを予め該紐が出ている二つの通り孔に別個に装着しておくゴミ袋。【０００５】ゴミ袋の開口という同じ目的で供せられるもうひとつの発明品は、予め該ゴミ袋の開口部内側の周囲に同じ長さで所定の曲げ強度を有する２枚の帯を貼り付けた紐付きゴミ袋である。【０００６】  以下、本発明を図に従い、詳しく説明する。図１の（ａ）は、上述の本発明品に用いる二つ折りの鋼線のイメージ図である。ここで符号１は中央で二つ折りとなる本発明品の折り曲げ部である。同じく符号２はゴミ袋の開口状態を保持する鋼線の主要部分であり、概ね紐の通り孔の半分くらいまで挿入される。符号３は鋼線の先端部であり、紐の通り孔に挿入する際及びゴミが満杯になって後、紐を締める必要からこれを抜き取る際に袋の通り孔部分の生地に引っかからないように図２のごとくの小円形部を有している。【０００７】  図１の（ｂ）は、該ゴミ袋の開口部内側の周囲に所定の曲げ強度を有する２枚の帯を貼り付けた紐付きゴミ袋のイメージ図である。ここで符号４は該ゴミ袋本体、符号５はこの袋に付いている紐、符号６は該２枚の帯である。この帯の長さは概ね該袋開口部の周長の半分であり同じくその巾と厚みは帯の材質により異なり、即ちボール紙を使うかそれとも住宅用小口テープなどの樹脂性部材を使うかによるが、何れにしても該ゴミ袋を片手で持ったとき該ゴミ袋の開口部がゴミを入れ易いような形状、即ち概ね円形を呈するような寸法にするのである。
また、この帯を上述のごときの部分に貼り付ける手段は、ボール紙の場合は両面接着テープ又は可塑性接着剤を用い、貼り付け後の柔軟性を持たせる。他方、住宅用小口テープの場合は、予め可塑性接着剤が付いているので所定の長さに裁断してそのまま貼ればよい。【０００８】  図３の（ｃ）はゴミ袋に挿入した上述二つ折り鋼線の符号１の部分を広げて該ゴミ袋の開口を成し、ゴミを投入し易くしたときのイメージ図であり、ゴミの投入が完了した後は符号１の鋼線を抜き取り符号５の紐で密閉する。
図３の（ｄ）は同じく上述のボール紙を両面接着テープで該ゴミ袋の開口部内側の周囲に貼ったものを片手で支えたときのイメージ図であり、ゴミの投入が完了した後は符号６の帯を剥がし符号５の紐で密閉する。
【考案の効果】
【０００９】  本発明によるゴミ袋の開口保持法は、その使用に際しての取り扱いが極めて簡単である。また使用材料である鋼線、ボール紙及び住宅用小口テープの加工形状も極めて単純なるが故、製造コストも安く加えて軽量にして持ち運びの負担の少ない開口保持付きゴミ袋を低価格で市場に提供できるのである。
【実施例】
【００１０】  空置き時の寸法が縦９００ｍｍ、横５８０ｍｍで内容量約６０リットルの紐付きゴミ袋に対してまず線径１．８ｍｍの鋼線を一辺の長さが３００ｍｍとなる上述のごときの加工を施した二つ折りの金物を装着したゴミ袋で実験を行った。ゴミとしては比較的重い木屑及び軽い紙屑を使用したが、いづれの場合も満杯になるまで開口状態を保持することができた。また該ゴミ袋の紐の通り孔に対する該金物の挿入、引き抜きといった着脱作業に何ら支障はなかった。
次に同寸法のゴミ袋に対してその開口部内側に厚さ０．８ｍｍ、巾３５ｍｍ、長さ５４０ｍｍのボール紙２枚を両面接着テープで相対するように貼ったもの、及び同様に巾３０ｍｍの住宅用小口テープを貼ったゴミ袋でそれぞれ実験を行った。ゴミには上述と同様の木屑と紙屑をを使用したが、いづれの場合もゴミが満杯になるまで該袋の開口形状はほぼ真円であった。最後にボール紙及び住宅用小口テープの帯をそれぞれ剥がし該紐で密閉して作業を完了した。
【図面の簡単な説明】
【００１１】
【図１】  本発明品のイメージ図。
【図２】  図１の（ａ）の先端部分のイメージ図。
【図３】  使用時のイメージ図。
【符号の説明】
【００１２】  １，  折り曲げ部
２，  鋼線の開口保持部
３，  鋼線の先端部
４，  紐付きゴミ袋
５，  紐
６，  開口保持用帯
【図１】
0003144515.tif 000003
【図２】
0003144515.tif 000004
【図３】
0003144515.tif 000005
(57)【要約】      （修正有）【課題】刃の左右の向きを自由に変更して、固定できる安全剃刀を提供する。【解決手段】柄に対する水平角度を斜めにすることにより、真っ直ぐに柄を引いてもおのずから刃は斜めに当たっているので、毛根を引っ張らずに自然に切り込んで切ってしまう。必要以上に深く掘り込まずに、楽々と剃ることができる。なお角度の調節ができるようにして、深剃り・浅剃りの選択が自由に出来ることとして、一層便利なものとした。【選択図】図２
0003144578.tif 000002
【実用新案登録請求の範囲】
【請求項１】
剃刀の刃を、その柄に対して平面上（左右の方向を）少し、斜めに取り付けた剃刀。
【請求項２】
刃の向き（左右の角度）を自由に変更して固定することができる、請求項１に記載の剃刀。
【考案の詳細な説明】
【技術分野】
【０００１】
刃の左右の向きを自由に変更して、固定できる安全剃刀に関するものである。
【背景技術】
【０００２】
物を切る場合、刃を直角に当てるか、斜めに当てるかで切れ方の違いは大変大きいものである、料理人が包丁を斜めに当てて引くように切るのは材料を、傷めないためであるが一本の毛に対する剃刀の刃の当て方も同じ原理で、直角に当てて引くと、切れる前に引き抜く力が働いて肌荒れの原因になっている、切れはするが、毛の元に無理を与えているのである。
【考案の開示】
【考案が解決しようとする課題】
【０００３】
一本一本の毛に刃が直角に当たらない、物を切る原理に適った使い方のできる剃刀でなければならない。
【課題を解決するための手段】
【０００４】
柄に対する刃の水平の角度を直角とせず、斜めに取り付けることにより剃刀自体を真っ直ぐ手前に引いても、対象物に刃が斜めに当たり、滑らしながら切ってゆく状態となる。
【考案の効果】
【０００５】
刃は対象物に常に斜めに当たっており、手前に引くことにより毛ノ元に切りこんで切ってしまうので、毛を引き抜く力は生じない、熟練の料理人の包丁の使い方と同じ原理で、毛のもとに何ら無理を与えることなく、楽々と、しかも短時間で早く剃ることができる。
【考案を実施するための最良の形態】
【０００６】
状況に応じて、好みの角度に変更し固定できるようにして安全且つ、効率よく使用できるようにしている，深剃り希望は角度を小さく（直角にちかく），浅剃りは大きくする。
【実施例】
【０００７】
よく切れているので、一回通すだけで、剃り残しは殆ど無いので、能率がよく、剃り後の感触も滑らかで、見た目にも健康的で奇麗である。
【０００８】
柄の軸線に対する刃の角度というのは図４のａのことではなくて図２におけるｂの角度、すなわち同図ｄとｅの交わる水平角である。
【０００９】
刃の頭の凹凸と柄の穴の内部の凹凸は一致していて角度が固定できる。
【図面の簡単な説明】
【００１０】
【図１】刃を斜めしにている状態の剃刀の全体図
【図２】平面図          （刃を斜めにしている状態）
【図３】側面図
【図４】柄の穴に差し込む刃の頭（縦に切り込んだ凸凹あり）
【図５】柄と刃を固定するネジ
【図６】柄の突端の穴
【図７】図６の穴の内部（縦に切り込んだ凸凹あり）
【符号の説明】
【００１１】
１  柄    
２  刃
３  柄の突端の穴（内部側面に縦に切り込んだ凹凸）
４  柄の穴に差し込む刃の頭（縦に切り込んだ凹凸）
５  柄と刃を固定するネジ
６  柄の穴の内部
ａ  側面から見た柄の軸線に対する刃の上下の角度
ｂ  ｃに直交するｄとｅの交わる角度
ｃ  柄の軸線
ｄ  ｃに直行する線
ｅ  刃の軸線
【図１】
0003144578.tif 000003
【図２】
0003144578.tif 000004
【図３】
0003144578.tif 000005
【図４】
0003144578.tif 000006
【図５】
0003144578.tif 000007
【図６】
0003144578.tif 000008
【図７】
0003144578.tif 000009
【手続補正書】
【提出日】平成20年7月30日(2008.7.30)
【手続補正１】
【補正対象書類名】実用新案登録請求の範囲
【補正対象項目名】全文
【補正方法】変更
【補正の内容】
【実用新案登録請求の範囲】
【請求項１】
剃刀の刃を、その柄に対して直角でなく、左右の向きを変えて斜めに取り付けた剃刀。
【請求項２】
剃刀の柄に対する、剃刀の刃の左右の向きの角度を、自由に変更して固定することができる、請求項１に記載の剃刀。
(57)【要約】【課題】色紙のみならず壁等の保持面を傷つけることがなく、かつ、安価な色紙立てを提供する。【解決手段】支持体１の上面には色紙３の下端３ａを挿嵌する支持溝５を備えさせてなることを特徴とする色紙立て。支持体１は、好ましくは木製とするが、石、金属、合成樹脂等により形成しても差し支えない。支持溝５は、色紙３の下端３ａを挿嵌したときに該色紙３を立てた状態で固定するに適した幅と深さとを備えるものとする。色紙３を傾斜させた状態に支持するために、支持溝５は傾斜させた状態で形成することが望ましい。【選択図】図１
0003144599.tif 000002
【実用新案登録請求の範囲】
【請求項１】
支持体の上面には色紙の下端を挿嵌する支持溝を備えさせてなることを特徴とする色紙立て。
【考案の詳細な説明】
【技術分野】
【０００１】
本考案は、色紙立てに関するものである。
【背景技術】
【０００２】
色紙を飾る際には、一般に、色紙を画鋲、ピン等の固定具により壁等の保持面に固定し、又は実開平５−９３３２２号公報に示すように色紙を額縁に収納し、該額縁を壁等の保持面に取り付けるという手法が用いられている。
【特許文献１】実開平５−９３３２２号公報
【考案の開示】
【考案が解決しようとする課題】
【０００３】
しかるに、色紙を画鋲、ピン等の固定具により壁等の保持面に固定する場合には、固定具により色紙のみならず壁等の保持面にも傷が付くという問題がある。
【０００４】
一方、色紙を額縁に収納し、該額縁を壁等の保持面に取り付ける場合には、壁等の保持面に傷が付くだけでなく、額縁が高価であるという問題もある。
【０００５】
このような状況に鑑み、本考案は、色紙のみならず壁等の保持面を傷つけることがなく、かつ、安価な色紙立てを提供しようとしてなされたものである。
【課題を解決するための手段】
【０００６】
上記課題を解決するために、本考案は下記の色紙立てを提供する。
【０００７】
支持体の上面には色紙の下端を挿嵌する支持溝を備えさせてなることを特徴とする色紙立て。
【考案の効果】
【０００８】
本考案により色紙を立てる際には、色紙の下端を支持体の支持溝に挿嵌し、該支持体を机の天板上等に載置すればよい。しかるときは、色紙は起立した状態で支持体により保持される。すなわち、色紙を立てる作業は極めて容易である。また、色紙を支持体から外す際には、単に色紙を支持溝から引き抜けばよい。
【０００９】
本考案によれば、色紙を立てる際に画鋲、ピン等の固定具を用いる必要がなく、色紙のみならず壁等の保持面を傷つけることもない。
【００１０】
本考案による色紙立ては、構造が簡単であって、極めて安価に提供することができる。
【００１１】
本考案の色紙立てにより立てられた色紙は、極めて安定する。
【考案を実施するための最良の形態】
【００１２】
本考案による色紙立ては、支持体１の上面には色紙３の下端３ａを挿嵌する支持溝５を備えさせてなるものである。
【００１３】
支持体１は、好ましくは木製とするが、石、金属、合成樹脂等により形成しても差し支えない。
【００１４】
支持溝５は、色紙３の下端３ａを挿嵌したときに該色紙３を立てた状態で固定するに適した幅と深さとを備えるものとする。
【００１５】
図示の事例においては、色紙３を傾斜させた状態に支持するために、支持溝５は傾斜させた状態で形成されている。
【００１６】
図２に示す事例においては、色紙３を二つの色紙立てにより立てているが、色紙は一つの色紙立てのみにより立ててもよいし、三つ以上の色紙立てを用いて立てても差し支えない。
【図面の簡単な説明】
【００１７】
【図１】本考案による色紙立てと色紙とを示す断面図である。
【図２】同上色紙立ての使用状態の一例を示す斜視図である。
【符号の説明】
【００１８】
１  支持体
３  色紙
３ａ  下端
５  支持溝
【図１】
0003144599.tif 000003
【図２】
0003144599.tif 000004
(57)【要約】      （修正有）【課題】新陳代謝を高め、脂肪燃焼を促進するメタボ対策用Ｔシャツ等の衣服を提供する。【解決手段】牛肉の部位の名称をＴシャツ等の衣服の人体上の相当する位置にプリントしたものを着用する事で、心理的効果が働き、着用者の減量へのモチベーションが高まり、大した努力や苦労をする事なく体重や脂肪率の低下につながる。また、胸部にプリントした陰陽マークの場所に新陳代謝を高め、脂肪燃焼を促すように「気」を入れている事から、メタボ対策を側面から支援するものである。【選択図】図１
0003144510.tif 000002
【実用新案登録請求の範囲】
【請求項１】
牛肉の部位の名称すなわち、Ｂｒｉｓｋｅｔ、Ｐｌａｔｅ、Ｆｌａｎｋ、Ｃｈｕｃｋ、Ｒｉｂ、Ｓｉｒｌｏｉｎ、をＴシャツ等の衣服の人体上の相当する位置にプリントしたＴシャツ等の衣服。
【請求項２】
Ｔシャツ等の衣服の胸の位置に陰陽のマークをプリントした、請求項１記載のＴシャツ等の衣服。
【考案の詳細な説明】
【技術分野】
【０００１】この考案は前後部に牛肉の部位の名称、並びに胸部に陰陽のマークをプリントしたＴシャツ等の衣服に関するものである。【０００２】胸部にプリントされた陰陽のマークの場所に新陳代謝を高め、脂肪燃焼を促進するように「気」を入れる。
【背景技術】
【０００３】本考案のような心理的効果をもったＴシャツ等の衣服はなかった。また、科学的測定はできないが、「気」のエネルギーによって身体に影響を与えうる可能性を駆使したＴシャツ等の衣服もなかった。
【考案が解決しようとする課題】
【０００４】２０００年４月からメタボ健診がスタートしたことなどから、肥満，メタボに対する不安が広まっているが、予防，改善の為には相当の努力が必要とされる。一方，人は安易に流れやすく、歯を食いしばっての努力ができる人は一握りに過ぎず、大多数の人は諦めているか、問題から目をそらして毎日を送っているのが実情である。
【課題を解決するための手段】
【０００５】本考案は牛肉の部位の名称すなわち、Ｂｒｉｓｋｅｔ、Ｐｌａｔｅ、Ｆｌａｎｋ、Ｃｈｕｃｋ、Ｒｉｂ、Ｓｉｒｌｏｉｎ、をＴシャツ等の衣服の人体上の相当する位置にプリントしたＴシャツ等の衣服を着用する事で、着用者が自分の体を牛肉と仮定して見直し、いかに栄養過剰か痛感し、かつ、他の人の目線が気になりだし、減量に対するモチベーションが非常にたかまる。そして特別な努力や苦労をすることも無く、自然に思考、行動が変わってくる。結果として体重、脂肪率等の低下が見られる。
【考案の効果】
【０００６】本考案のＴシャツ等の衣服を着用する事で、心理的効果が発揮され、減量に対するモチベーションが高まり、特別な努力をすることも無くメタボ対策が自然な形でなされる。
【実施例】
【０００７】本考案のＴシャツの試作品を数名の肥満体型の人に一ヶ月間試着してもらい、その後アンケートを取った結果、ほぼ全員が今まで以上に自分の体を太いと感じ、他の人の目線が気になりだし、今までに無い強さで減量を望むようになった。全く自然な形で毎日の想い、行動が変わり、食事、体を動かすこと等に反映されていった。一ヵ月後、ほぼ全員に体重と脂肪率の低下がみられた。
【産業上の利用可能性】
【０００８】男女用のＴシャツ（半袖、長袖）、スウェットシャツ、ウインドブレーカー、セーター、ジャンパー等にプリントして着用する。
【図面の簡単な説明】
【０００９】
【図１】Ｔシャツ等の衣服の前部に、牛肉の部位の名称を人体上の相当する位置にくるようにプリントし、さらに、気功でいう「中丹田」の位置に陰陽のマークをプリントする。
【図２】Ｔシャツ等の衣服の後部に牛肉の部位の名称を人体上の相当する位置にくるようにプリントする。
【符号の説明】
【００１０】    １    Ｂｒｉｓｋｅｔ    −胸肉の意
２    Ｐｌａｔｅ        −バラ肉の意
３    Ｆｌａｎｋ        −わき腹肉の意
４    Ｃｈｕｃｋ        −肩ロースの意
５    Ｒｉｂ            −上ロースの意
６    Ｓｉｒｌｏｉｎ    −下ロースの意
７    陰陽のマーク      −「気］を入れる場所
【図１】
0003144510.tif 000003
【図２】
0003144510.tif 000004
(57)【要約】      （修正有）【課題】携帯に便利で消したい箇所だけを簡単に消すことのできる消しゴムを提供する。【解決手段】消しゴムの形を板ガム状の形にして何枚かを１組とし、板ガムのように一枚ずつ使用する。しかし板ガムの形状消しゴムでは１枚の消しゴムが薄くなるため使用中に折れたりすることがあるのでこれを防ぐため１枚の消しゴムを厚紙などで巻き、補強することで折れを防ぐようにしたものであり、使用していると消しゴムの部分が短くなるが後方より消しゴムを押し出すようにして使用する。【選択図】図３
0003144502.tif 000002
【実用新案登録請求の範囲】
【請求項１】
消しゴムの形を板ガム状の形にすることにより細かい所を消しやすくした板状の消しゴム。
【考案の詳細な説明】
【技術の分類】
【０００１】  本考案は消しゴムに関するものであり、消しゴムの形を板ガム状の形にすることによって消しゴムに角が常に出来、消したい所だけを消しやすくしたものである。
【背景技術】
【０００２】  従来から消しゴムの角を多くするための工夫された形のものからペンシル式のものまで色々とある。
【考案の開示】
【考案が解決しようとする課題】
【０００３】  しかし従来のような形では嵩張るため携帯に不便であり、使用していると消しゴムに角がなくなり細い箇所を消す時に消す必要のない箇所まで消すことがある。よって本考案は携帯に便利で常に消したい箇所だけを消すことのできる消しゴムを課題とする。
【課題を解決するための手段】
【０００４】  この問題を解決するため請求項１の考案は消しゴムの形を板ガム状の形にして何枚かを１組とし、板ガムのように一枚ずつ使用することを考案した。【０００５】  しかし板ガムの形状消しゴムでは１枚の消しゴムが薄くなるため使用中に折れたりすることがあるのでこれを防ぐため１枚の消しゴムを厚紙などで巻き、補強することで折れを防ぐようにしたものであり、使用していると消しゴムの部分が短くなるが後方より消しゴムを押し出すようにして使用するように考案したものである。
【考案の効果】
【０００６】  よって本考案の板ガム形状の消しゴムは１枚ずつ使用することができ１枚が薄いので嵩張らず手帳などに挿むこともでき消しゴムに角が常にでき細かい所を消すことが容易にできる。【０００７】  また、ゴム類は長期間空気に直接触れるとゴム質が硬化して消しにくくなるが、本考案の消しゴムは１枚ずつラッピングされているので硬化を防ぐこともできる。
【考案を実施するための最良の形態】
【０００８】  図１は数枚の板ガム形状の消しゴムを１個に束ねてラッピングされたことを特徴とする。【０００９】  図２は１枚ずつ取り出して使用することができることを特徴とする。【００１０】  本考案に係る板ガム形状の消しゴムは工業的に量産することが可能であるため産業上の利用可能性を有する。
【図面の簡単な説明】
【００１１】
【図１】  数個の消しゴムを１個に束ね、それをラッピングした全体図である。
【図２】  図１の状態の中より１枚の消しゴムを取り出した図である。
【図３】  １枚の消しゴムを約２倍にした拡大図である。
【符号の説明】
１．剥がし用テープ
２．外のラッピング
３．消しゴムの部分
４．補強の厚紙
５．１枚に施された透明ラッピング
【図１】
0003144502.tif 000003
【図２】
0003144502.tif 000004
【図３】
0003144502.tif 000005
(57)【要約】      （修正有）【課題】仏具を移動させることなく簡単に本尊のみを収納できる仏壇を提供する。【解決手段】該箱体１に開閉自在で左右の開閉方法の違う二重の扉を備え、その前扉部２を手前に開くと、遺影を入れることの出来る前扉部３が存在し、該箱体前上下にあるガイド溝部５ａ，５ｂに沿って左右にスライドし、該箱体の内部空間Ａの本尊を隠すことが出来るように構成した。【選択図】図２
0003144505.tif 000002
【実用新案登録請求の範囲】
【請求項１】
前方開口状の箱体（１）に、二重に開閉方法の違う左右の前扉部（２）、（３）を備えた仏壇であって、前扉部（２）を開状態において、左右スライド式前扉部（３）の開閉状態によって該箱体（１）の内部空間（Ａ）の可視を自在とすることを特徴とする仏壇である。
【請求項２】
上記前扉部（２）の内側に位牌と、前扉部（３）の外側に遺影を有し、前扉部（２）は固定軸（４ａ）、（４ｂ）を中心に前後に開閉し、前扉部（３）は該箱体（１）の上部、下部に有するカイド溝部（５ａ）（５ｂ）によって左右にスライド開閉する扉を構成した請求項１記載の仏壇である。
【考案の詳細な説明】
【技術分野】
【０００１】本考案は、仏具を移動させることなく簡単に本尊のみを収納し、他宗教の人物が本尊を気にせずに故人だけを拝むことの出来る仏壇に関するものである。
【背景技術】
【０００２】現代の仏壇は、扉が観音開き、または屈曲型観音開きで左右一対なっている。そのため、扉の開閉により仏壇全てを閉じることとなり、本尊のみを隠すことは出来ない。観音開き以外の扉を有する仏壇ついても、構造上は仏壇全体を閉じる扉が提案されている。（例えば、特許文献１、特許文献２参照）特許文献１は横型スライド式ではあるが外扉一重のために祭壇部及び全体を覆ってしまう。特許文献２についても縦型スライド式になっているがやはり仏壇全体を閉じてしまうようなものが提案されている。
【特許文献１】特開２００４−２９０６３８号公報
【特許文献２】特開２００２−３４７７４号公報
【考案の開示】
【考案が解決しようとする課題】
【０００３】伝統的な仏壇とはいえ、現代のような他宗教が混在する中、故人に対してのお悔やみの気持ちはあっても、他宗教の本尊を信仰するような行為を厳格に禁止している宗教を、信仰している人物については、他宗教の本尊を崇拝するような行為に嫌悪感を持ちながら故人に対し供養を行っている。もしくは、細々とした仏具を移動し、本尊の前にある位牌を移動する必要があった。
そこで本考案は仏具を移動させることなく簡単に相応な形態を得ることの出来る新規な構造の仏壇を提案したものである。
【課題を解決する為の手段】
【０００４】本考案に係る仏壇は、該箱体（１）の前扉部（２）を手前に開くと、遺影を入れることの出来る前扉部（３）が存在し、該箱体前上壁部、下壁部にあるガイド溝部（５ａ）（５ｂ）に沿って左右にスライドし、該箱体の内部空間（Ａ）の本尊を隠すことが出来るように施したことを特徴としたものである。
【０００５】また前記の該箱体（１）の前扉部（３）がスライド解放後、前後にも扉の開放角度を調節出来ることを特徴としたものである。
【考案の効果】
【０００６】本考案は、故人とその故人に対するお悔やみの気持ちを持つ者がそれぞれの信仰する宗教を尊重しつつ、故人に対しての供養を可能とすることができる。
また、その供養を行う際の仏具の移動なく簡単に実施できることを可能とした。
【考案を実施するための最良の状態】
【０００７】以下、実施の形態を示す図面に基づき、本考案を詳説する。
図１〜図５に於いて、本考案の実施の一形態に係る仏壇は、前方開口状の箱体１、と箱体１の内部空間Ａに設けられると共に本尊６を飾る祭壇部７、収納引き出し箱８、と開放状態において本尊６が見えるような開閉自在で左右の開閉方法の違う二重の前扉部２、３を備えている。
【０００８】前扉部２，３の隅にそれぞれ磁石片９ａ、９ｂ、９ｃ、９ｄが内部に取り付けられ、前扉部を閉めた状態で張り付くよう設けられ、閉状態で不意に前扉部開く事のないようになっている。
前扉部２内側に板状の位牌１０がはめ込み式に装着でき、前扉部３前部は遺影が裏側から取り付けられる額状の形態１１を備えている。
前扉部２は箱体１の上壁部１２、下壁部１３の固定軸４ａ、４ｂにて固定され前後に開閉し、前扉部３は上壁部１２の内側にあるガイド溝部５ａ、下壁部１３内側にあるガイド溝部５ｂによって左右にスライドし、開放後、前後に開閉角度を自在に調整する機能を備えている。
【０００９】祭壇部７の下に前扉部開放時に可動可能な収納引き出し箱８を備え、遺品や仏具の収納が可能な箱状の引き出しを備えている。
【００１０】なお、本考案は、上述の実施形態に限定されず、本考案の要旨を逸脱しない範囲で設計変更可能である。例えば、前扉部２が右側に固定され前後に開き、前扉部３が左側にスライド開放し、右側に板状の位牌１０、左側に額状の形態１１が構成される構造であってもよい。
【図面の簡単な説明】
【００１１】
【図１】本考案の仏壇が前扉部開放時の正面図である。
【図２】側面断面図である。
【図３】断面平面図である。
【図４】平面図である。
【図５】前扉部３の開放工程図である。
【符号の説明】
【００１２】１  箱体
２  左前扉部
３  右前扉部
４、４ａ、４ｂ  左前扉部固定軸
５、５ａ、５ｂ  ガイド溝部
６  本尊掛け軸
７  祭壇部
８  収納引き出し箱
９ａ、９ｂ、９ｃ、９ｄ  磁石片
１０  板状位牌
１１  遺影用額部
１２  箱体上壁部
１３  箱体下壁部
Ａ  内部空間
【図１】
0003144505.tif 000003
【図２】
0003144505.tif 000004
【図３】
0003144505.tif 000005
【図４】
0003144505.tif 000006
【図５】
0003144505.tif 000007
(57)【要約】      （修正有）【課題】ウィンドーの損傷を保護する為の出入り用ウィンドー付ドアーを備えた酸素カプセルを提供する。【解決手段】ウィンドー材３にブラックライト用画像処理加工済みフィルム４を貼り合わせ、ブラックライトを装着した出入り用ウィンドー付ドアー５を取り付けた酸素カプセルで、酸素カプセル用１出入り用ウィンドー付ドアー５は破損を生じても中にいる人を保護することができる。また、狭い密室の為精神的に苦痛だった時間を画像によってリラクゼーション効果を得ることができ、ブラックライト用画像処理加工済みフィルム４を張ることによりプライベートを確保できる。【選択図】図１
0003144507.tif 000002
【実用新案登録請求の範囲】
【請求項１】
（イ）ウィンドー材（３）にブラックライト用画像処理加工済みフィルム（４）を貼り合わせ、ブラックライトを装着した出入り用ウィンドー付ドアー（５）を取り付けた酸素カプセル。
以上のごとく構成された酸素カプセル。
【考案の詳細な説明】
【技術分野】
【０００１】本考案は、酸素カプセル（１）のウィンドーの損傷を保護する為の酸素カプセル（１）出入り用ウィンドー付ドアー（５）に関するものである。
【背景技術】
【０００２】従来、酸素カプセル（１）のウィンドー材（３）にはアクリル、ポリカーボ、塩ビ、ＰＰなどがあった。
【考案の開示】
【考案が解決しようとする課題】
【０００３】（イ）アクリル、ポリカーボ、塩ビ、ＰＰなどは衝撃を受けると破損してしまった。
（ロ）狭い密室の為、精神的に苦痛だった。
（ハ）ウィンドー材（３）が透明な為、中の様子が見えてしまった。
本考案は、これらの欠点を除くためになされたものである。
【課題を解決するための手段】
【０００３】
【０００４】（イ）ウィンドー材（３）にブラックライト用画像処理加工済みフィルム（４）を貼り合わせる。
【考案の効果】
【０００５】（イ）本考案の酸素カプセル用（１）出入り用ウィンドー付ドアー（５）は破損を生じても中にいる人を保護することができる。
（ロ）狭い密室の為精神的に苦痛だった時間を画像によってリラクゼーション効果を得ることができる。
（ハ）ブラックライト用画像処理加工済みフィルム（４）を張ることによりプライベートを確保できる。
【考案を実施するための最良の形態】
【０００６】以下、本考案の実施例について説明する。
（イ）出入り用ドアのウィンドー（５）に画像処理を施したフィルムを貼り合わせる。
（ロ）出入り用ウィンドー用ウィンドー付ドアー（５）の端にブラックライトを取り付ける。。
【図面の簡単な説明】
【０００７】
【図１】本考案の斜視図、である。
【符号の説明】
【０００８】１  酸素カプセル
２  出入り用ウィンドー付ドアーフレーム
３  ウィンドー材
４  ブラックライト用画像処理加工済みフィルム
５  出入り用ウィンドー付ドアー
【図１】
0003144507.tif 000003